(57)【要約】【課題】  従来、育毛マッサージや育毛剤を塗布するブラシなどは、プラスチックで成形したものや金属製、獣毛などで作成していたが、このようなブラシであると、硬いものであると使用時に頭皮を傷つけ、柔らかいものであると耐久性が弱く、又、弾性が弱いためマッサージ効果が期待できず、立毛しているブラシであると、斑なく広範囲に塗布することが困難であるといった問題が残されていた。【解決手段】  毛先がテーパー化された合成樹脂製のフィラメントを束ねてブラシとし、このブラシの中間部における外径とブラシ先端部近傍における外径とがほぼ同径にすると共に、先端部を斜形状に配置したブラシにおいて、前記合成樹脂製のフィラメントを束ねたブラシの弾性荷重が、そのブラシをレオメータに６０度にセットし、平面上に３．０mm押し付けたとき、１５〜８０ｇで構成した育毛マッサージブラシ。【選択図】  図１
2010274000.tif 000002
【特許請求の範囲】
【請求項１】
毛先がテーパー化された合成樹脂製のフィラメントを束ねてブラシとし、このブラシの中間部における外径とブラシ先端部近傍における外径とがほぼ同径にすると共に、先端部を斜形状に配置したブラシにおいて、前記合成樹脂製のフィラメントを束ねたブラシの弾性荷重が、そのブラシをレオメータに６０度にセットし、平面上に３．０mm押し付けたとき、１５〜８０ｇで構成したことを特徴とする育毛マッサージブラシ。
【請求項２】
前記合成樹脂製のフィラメントのテーパー部の太さがテーパー先端部から１．０ｍｍ、３．０ｍｍ、５．０ｍｍ、８．０ｍｍの各部位におけるフィラメントの基部の直径に対して、３５〜７０％、７０〜９０％、８０〜９５％、９０〜１００％で、それぞれ特定されるフィラメント形状で構成したことを特徴とする請求項１に記載の育毛マッサージブラシ。
【請求項３】
前記ブラシに使用するフィラメントの基部の太さが０．１６ｍｍ〜０．２５ｍｍの範囲としたことを特徴とする請求項１〜請求項２の何れかに記載のブラシ。
【発明の詳細な説明】
【技術分野】
【０００１】
本発明は、育毛マッサージブラシや育毛剤を塗布するブラシ及び美容液用のブラシなどのインキ内容物を面で塗布するブラシに関し、塗布時に面塗りし易く、一度に広範囲に塗布できる共に、皮膚面に適度の刺激を与えることでマッサージ効果を得ることができるブラシに関するものである。
【背景技術】
【０００２】
従来、育毛マッサージなどのブラシは、多数の櫛歯体を林立させたベースと、これに連なる柄部から構成されており、そのほとんどがプラスチック一体成形のものとして甚だ広汎に使われていることは周知の通りである。その他、特殊なものでは、プラスチック一体成形の代わりに金属製の細い線径のものを使用し、ブラシの一部としている製品もある。しかし、プラスチックで成形したブラシや金属製のブラシは、形状などの品質は一定するが、使用時に頭皮を傷つけ、また、細部に塗布し難いといった問題があった（特許文献１参照）。
【０００３】
そこで、ブラシをプラスチックや金属で成形する代わりに、馬毛もしくは豚毛を用いることが行われている。具体的に説明すると、基台上には所定のピッチで穴が整列・形成されており、その穴に前記馬毛や豚毛などが植毛されている（特許文献２参照）。
【０００４】
ところで、基台上の穴に馬毛や豚毛を植毛するブラシは、頭皮に対する肌当たりはソフトで良いが耐久性が弱いと言った問題やブラシ自体の弾性が弱いため、マッサージ効果があまり得られないと言った問題を有している。
この問題を解決するために、本体を備え、本体の一方の面に、複数のブラシ及び複数の育毛剤供給機構が規則的に配列されており、本体の内部に、育毛剤を収容するための中空部が設けられており、前記育毛剤供給機構が、本体に固着された先細りの細長いホルダを有しており、そのホルダの中央には、長さ方向に延びた貫通孔が設けられ、貫通孔が、本体の中空部と連通しており、その本体の先端に、回転できるようにボールが嵌め込まれており、そのホルダのボールを頭皮に押しつけて移動させ、そのボールを回転させることにより、ボールの表面に付着した育毛剤を頭皮に塗布するマッサージ用ブラシが提案されている（特許文献３参照）。
【先行技術文献】
【特許文献】
【０００５】
【特許文献１】特開２００３−１９９６２８号公報（特許請求の範囲）
【特許文献２】特開２００３−３３２２号公報（特許請求の範囲）
【特許文献３】特開２００３−６６３号公報（特許請求の範囲）
【発明の概要】
【発明が解決しようとする課題】
【０００６】
しかしながら、複数のブラシ及び複数の育毛剤供給機構が規則的に立毛されたブラシは、そのブラシの先端が先細り形成されており、また、それらは、プラスチックで成形さることが一般的である。これに加え、上記の従来技術にあっては、ホルダの先端にボールを取り付け、そのボールを回転させることによって薬液を頭皮に塗布している。しかし、プラスチック材より成る先細りのブラシに加え、小さなボールを頭皮に接触させるため、その頭皮に傷を付けてしまう危険性があった。また、ブラシと育毛剤供給機構が間隔をおいて立毛されているので、前記塗布する面積がピンポイントで狭く、斑なく広範囲に塗布することが困難であった。
【課題を解決するための手段】
【０００７】
本発明は、毛先がテーパー化された合成樹脂製のフィラメントを束ねてブラシとし、このブラシの中間部における外径とブラシ先端部近傍における外径とがほぼ同径にすると共に、先端部を斜形状に配置したブラシにおいて、前記合成樹脂製のフィラメントを束ねたブラシの弾性荷重が、そのブラシをレオメータに６０度にセットし、平面上に３．０mm押し付けたとき、１５〜８０ｇで構成したことを要旨とするものである。
【発明の効果】
【０００８】
本発明は、毛先がテーパー化された合成樹脂製のフィラメントを束ねてブラシとし、このブラシの中間部における外径とブラシ先端部近傍における外径とがほぼ同径にすると共に、先端部を斜形状に配置したブラシにおいて、前記合成樹脂製のフィラメントを束ねたブラシの弾性荷重が、そのブラシをレオメータに６０度にセットし、平面上に３．０mm押し付けたとき、１５〜８０ｇで構成したので、塗布時に面塗りし易く、一度に広範囲に塗布できると共に、ブラシの弾力性により皮膚面を傷けることなく、適度に刺激を与えることでマッサージ効果が良好なブラシが得られるものである。
【図面の簡単な説明】
【０００９】
【図１】本発明に関わるブラシ１の概略図である。
【図２】(ａ)フィラメント２にテーパー加工を施し、そのフィラメント２の先端部を円形状の斜形状に配置し、後端部を熱溶着した側面図である。              (ｂ)ブラシ１を固定管７の後方より挿入し圧入固定され、前軸８の先端部より圧入し、前軸８と後軸９をネジ固定された横断面図である。
【図３】本発明に係るフィラメントの拡大図と、その中央部分における断面図である。
【図４】変形例を示す図である。
【図５】ブラシの弾力荷重を測定する過程を示す模式図。
【発明を実施するための形態】
【００１０】
以下、本発明について説明する。図１において、参照符号１は、美容液用のブラシ１であり、そのブラシ１は、固定管７に挿入・固定され、この固定管７は前軸８の先端部に圧入し、インキ内蔵された後軸９と前軸８が前軸８後方よりネジ固定されブラシ１を形成している。又、ブラシ１は、先端にテーパー加工されたストレートを有するフィラメント２を用い、そのフィラメント２を長手方向に集束して、後端部を熱溶着や接着剤による接着などの方法により固着し、ブラシ1の弾性荷重が、そのブラシをレオメータに６０度にセットし、平面上に３．０mm押し付けたとき、１５〜８０ｇになるように形成したものである。
尚、ブラシ１の断面形状としては、ブラシ１の中間部と先端近傍部において、ほぼ同径の円柱状をなしているが、ブラシ１の断面形状を楕円形状としても良く、或いは、８角形や１２角形、１６角形などとしても良い。
また、図４に示すように、後軸９をボトル状にすることによって、大量のインキを貯留することができるようになると共に、自立可能なものとなる。
【００１１】
フィラメント２に使用している繊維材質としは、ポリアミド（６，６−ナイロン、６−ナイロン、６，１２−ナイロン、６，１０−ナイロンなど）ポリエステル（ポリエチレンテレフタレート、ポリブチレンテレフタレート）などを用いることができるが、上記材質が同一であっても異なっていても良い。
尚、ブラシ１に使用するフィラメント２は、ストレートな断面が円形なフィラメント２だけでなく、断面が中空のフィラメント３、断面が異形のフィラメント４、フィラメント表面に凹凸を有するフィラメント５、クリンプを有するフィラメント６を使用しても良い。
又、使用する用途及びインキ粘度、使用するインキの種類によっては、ブラシ１の先端が円柱状の斜形状に配置すれば、上記繊維を混毛して使用することもできる。
【００１２】
前記合成樹脂の先端をテーパー化しブラシ１と成すには、処理液による方法が好ましく、その処理液の具体的一例としては、ポリアミドに対してメタクレゾールと塩化カルシウムーメタノール溶液との混和液、ポリエステルに対して水酸化ナトリウムなどを組み合わせが挙がられる。但し、必ずしもこの方法に限定されるものではなく、例えば合成樹脂製繊維に熱延伸を与えてテーパー状に引き伸ばし、グラインダー研磨など機械的にテーパー化するなどの他の方法を採用しても良い。
【００１３】
毛先がテーパー化された合成樹脂製のフィラメント２を束ねてブラシ１とし、このブラシ１の中間部における外径Ａとブラシ１先端部近傍における外径Ｂとがほぼ同径にすると共に、先端部を斜形状に配置したブラシ１において、前記合成樹脂製のフィラメント２を束ねたブラシ1の弾性荷重を、そのブラシをレオメータに６０度にセットし、平面上に３．０mm押し付けたとき、１５〜８０ｇのものを使用する目的は、ブラシ1の弾力性を１５〜８０ｇにすることで、弾性が強いため、ブラシ１を押し付けたときブラシ1の撓みが少なくなり、頭皮に刺激を与え易くなることでマッサージ効果を良好とすると共に、ブラシ1の撓みによる曲がりが少ないので、耐久性を良くする目的で使用するものである。又、前記合成樹脂製のフィラメント２を束ねたブラシ1の弾力性(一定量押し付けたときの変形荷重)が１５ｇに満たないとブラシ1が撓み易くなり、耐久性が弱くなり、マッサージ効果が低下する問題がある。さらに、前記合成樹脂製のフィラメント２を束ねたブラシ1の弾性荷重が８０ｇを超えると弾力性が強くなりすぎて、頭皮を傷つける問題もある。
【００１４】
上記の弾力性は、ブラシ1を取り付けた製品をレオメータ１０１の昇降台１０２に６０度に傾けセットし、変位計である平面測定部位１０３にブラシ１を３．０mm押し付けたときの変形する荷重のピークを測定したものである。その他の条件としては、ブラシ1の押し付け速度は、２ｃｍ／ｍｉｎである（図５参照）。符号１０４は、荷重が示される表示パネルである。
【００１５】
又、本発明の前提条件であるブラシ1の中間部における外径Ａとブラシ１先端部近傍における外径Ｂとがほぼ同径にすると共に、先端部を斜形状に配置することで、ブラシ1が開いているため、面塗りがし易く、1度に広範囲に塗布することができ、又、先端が斜形状にしたことで、ブラシ1が平面である場合に、面で塗布しようとすると９０度になってしまうが、斜形状の場合は、６０度程度で面にフィトするので、楽な作業で塗布することができる。
【００１６】
又、ここで、ブラシ１を円柱状になすには、フィラメント２先端部からテーパー部の長さが重要であり、その範囲としては、２．０ｍｍ〜８．０ｍｍ程度が好ましい。通常の円錐状にまとまっているブラシ１は、８．０ｍｍ以上のテーパー長さで構成されている。
【００１７】
上記の毛先がテーパー化された合成樹脂製のフィラメント２を束ねてブラシ１とし、このブラシ１の中間部における外径Ａとブラシ１先端部近傍における外径Ｂとがほぼ同径にすると共に、先端部を斜形状に配置することや、前記合成樹脂製のフィラメント２を束ねたブラシ1の弾性荷重を、そのブラシをレオメータに６０度にセットし、平面上に３．０mm押し付けたとき、１５〜８０ｇにしたことで、塗布時に面塗りがし易く、1度に広範囲に塗布することができ、又、先端の弾力性が強いため、ブラシ１を押し付けたときにブラシ1の撓みが少なくなり、頭皮に刺激を与え易くなることでマッサージ効果を良好とすると共に、耐久性が良くなり、塗布面にフィトし易いので楽な作業ができるものである。
【００１８】
さらに、ブラシ１のフィラメント２のテーパー部の太さがテーパー先端部から１．０ｍｍ、３．０ｍｍ、５．０ｍｍ、８．０ｍｍの各部位におけるフィラメント２の基部の直径Ｄに対して、３５〜７０％、７０〜９０％、８０〜９５％、９０〜１００％の範囲が好ましい。その理由としては、フィラメント２のテーパー部の太さがテーパー先端部から１．０ｍｍ、３．０ｍｍ、５．０ｍｍ、８．０ｍｍの各部位におけるフィラメント２の基部の直径Ｄが上記寸法より細いと、ブラシ1にしたとき円柱状になり難いことやテーパー部が細いことで、耐久性が弱くなるからである。又、フィラメント２のテーパー部の太さがテーパー先端部から１．０ｍｍ、３．０ｍｍ、５．０ｍｍ、８．０ｍｍの各部位におけるフィラメント２の基部の直径Ｄが上記寸法より太いと先端のテーパー部が太いため、頭皮を傷つけてしまうからである。
【００１９】
又、合成樹脂製のフィラメント２のテーパー部太さが上記寸法より太いと、フィラメント２が密集して、吐出が悪くなったりもする。
ブラシ1の基部の断面が円形状のときの太さは、４．０ｍｍ〜２０．０ｍｍの範囲が好ましい。但し、ブラシ1の基部の形状が円形以外でも断面面積が上記と同じ範囲であれば良い。
【００２０】
ブラシ１に用いるフィラメント２の直径Ｄは、製造する用途又は大きさ（太さ及び長さ）によっても異なるが、本発明に係るブラシ１におけるフィラメント２は、０．１６ｍｍ〜０．２５ｍｍのものを用いることが好ましい。０．１６ｍｍを満たないものは、径が細いためマッサージ効果が期待できず、０．２５ｍｍを超えるものは、使用時に皮膚を傷つけるおそれがある。尚、ここでいうフィラメント２の直径Ｄとは、テーパー加工されていない部分の径をいうものである。
【００２１】
又、ブラシ１の先端部を基部Ａとほぼ同径Ｂにすると共に、斜形状に配置したブラシ１の頂部１０から斜形状底部１１の長さの差異Ｅは、０．５〜４．０ｍｍが好ましい。ブラシ1の先端部を基部Ａとほぼ同径Ｂによると共に斜形状に配置したブラシ１の頂部１０から斜形状底部１１の長さの差異Ｅが０．５ｍｍより小さいとブラシ1の角度が鈍角になり過ぎて、塗布面にフィトし難くなるばかりか、楽な作業で塗布することができない。又、ブラシ1の先端部を基部Ａとほぼ同径Ｂによると共に斜形状に配置したブラシ１の頂部１０から斜形状底部１１の長さの差異Ｅが４．０ｍｍを超えるとブラシ1の角度が鋭角になりすぎて、広範囲に塗布し難くなり、塗布の作業頻度が増えてしまうからである。
【００２２】
本発明のブラシ１を製造するに当たっては、テーパー加工されたフィラメント２を、先端部の基部の外径Ａとほぼ同径Ｂにすると共に斜形状に配置し形成されたものを集束し、集束した物の後端部を溶着や接着又は、後端部を糸などで縛ってフィラメント２の脱落を防止してブラシ１となす訳であるが、前記合成樹脂製のフィラメント２を束ねたブラシ１の弾性荷重を、そのブラシをレオメータに６０度にセットし、平面上に３．０mm押し付けたとき、１５〜８０ｇの範囲のものを用いることが好ましい。
【００２３】
以下、本発明の実施例を図面を参照して説明する。図２(ａ)において、フィラメント２にテーパー加工を施した後、その長手方向に沿って、フィラメント２を先端に寄せてから、所定の治具を使用し、先端部を円柱状の斜形状に配置し、そのフィラメント２の後端部を溶着してブラシ１を形成したものである。
【００２４】
図２(ｄ)に示すように、ブラシ１を固定管７の後方より挿入し圧入固定され、前軸８の先端部より圧入し、前軸８と後軸９をネジ固定され、筆を形成している。
このブラシ１は、フィラメント２のようにテーパー加工を施し、そのフィラメント２の先端部を円柱状の斜形状に配置した形状のブラシ１を用いるが、他の条件のブラシ１の弾性、使用フィラメント２の形状、フィラメント２の太さ（直径Ｄ）を示す表1に示すと共に、実施例１〜１２並びに、比較１３〜２４を表２に示す。
【００２５】
【表１】
2010274000.tif 000003
【００２６】
上記実施例１〜１２、並びに、比較例１３〜２４のブラシ１を用いて、図１に示す美容液用のブラシ１を形成し、面塗り易さ・マッサージ効果・耐久性についてアンケート調査を行った。
【００２７】
【表２】
2010274000.tif 000004
【００２８】
方法：任意に抽出したモニターに実際に美容液用の筆穂を使用してもらい、使用性についてモニター調査を実施した。その調査結果を表３に示す。
【００２９】
【表３】
2010274000.tif 000005
【符号の説明】
【００３０】
１    ブラシ
２    先端をテーパー加工したストレートフィラメント
３    先端をテーパー加工した断面が中空するフィラメント
４    先端をテーパー加工した断面が異形はフィラメント
５    先端をテーパー加工した表面が凹凸を有するフィラメント
６    先端をテーパー加工したクリンプを有するフィラメント
７    固定管
８    前軸
９    後軸
１０  ブラシ１円柱状の斜形状の頂部
１１  ブラシ１円柱状の斜形状の底部
【図１】
2010274000.tif 000006
【図２】
2010274000.tif 000007
【図３】
2010274000.tif 000008
【図４】
2010274000.tif 000009
【図５】
2010274000.tif 000010